(57)【要約】【課題】機械式防振機能から電子式防振機能へ切替前後の動画像の違和感を低減化する。【解決手段】デジタルカメラ１０は撮像素子１２、残量検出回路２２、およびバッテリ２３を有する。デジタルカメラ１０は機械式防振機能と電子式防振機能とを有する。動画像モードに切替えたとき、残量検出回路２２はバッテリ２３の残量を検出する。バッテリ２３の電圧が第２の閾値を超えるとき動画像として撮像する領域を撮像素子１２の有効撮像領域に設定する。バッテリ２３の電圧が第２の閾値を下回るとき動画像として撮像する領域を動画像領域と同じ大きさに設定する。動画像の撮影開始時のバッテリ２３の電圧が第１の閾値Ｖｔｈ１を超えるときには機械式防振機能を実行する。動画像の撮影開始時のバッテリ２３の電圧が第１の閾値Ｖｔｈ１を下回るときには電子式防振機能を実行する。【選択図】図１
2009053226.tif 000002
【特許請求の範囲】
【請求項１】
撮影光学系または撮像素子を動かすことにより像ブレを補正する機械式防振機能と、前記撮像素子の有効撮像領域内で抽出する一定の大きさである第１の大きさの領域を像ブレに応じて変えることにより像ブレを補正する電子式防振機能を有する撮影システムであって、
前記撮影システムを駆動するための電力を供給する電源電池の残量を検出する残量検出部と、
前記残量が第１の閾値より大きいときに前記機械式防振機能を実行させ、前記残量が前記第１の閾値より小さいときに前記電子式防振機能を実行させる防振制御部と、
前記機械式防振機能を実行させる間、前記残量に応じて前記第１の大きさ以上の第２の大きさの領域で受光した画像を撮影した画像とする領域制御部とを備える
ことを特徴とする撮影システム。
【請求項２】
前記撮像素子に被写体像を受光開始させる時の前記残量が前記第１の閾値より大きな第２の閾値より小さい場合に、前記領域制御部は前記第１の大きさの領域で受光した画像を撮影した画像とすることを特徴とする請求項１に記載の撮影システム。
【請求項３】
前記機械式防振機能を実行させる間、前記領域制御部は前記残量が前記第１の閾値に近付くにつれて前記第２の大きさを前記第１の大きさに近づけることを特徴とする請求項１または請求項２に記載の撮影システム。
【請求項４】
前記領域制御部が前記第２の大きさを前記第１の大きさに近づけるときに、前記第２の大きさに応じて前記撮影光学系の焦点距離を長くするように前記撮影光学系の焦点距離を調整する光学系調整部を備えることを特徴とする請求項３に記載の撮影システム。
【請求項５】
撮影光学系または撮像素子を動かすことにより像ブレを補正する機械式防振機能と、前記撮像素子の有効撮像領域内で抽出する一定の大きさである第１の大きさの領域を像ブレに応じて変えることにより像ブレを補正する電子式防振機能を有するデジタルカメラであって、
前記撮影システムを駆動するための電力を供給する電源電池の残量を検出する残量検出部と、
前記残量が第１の閾値より大きいときに前記機械式防振機能を実行させ、前記残量が前記第１の閾値より小さいときに前記電子式防振機能を実行させる防振制御部と、
前記機械式防振機能を実行させる間、前記残量に応じて前記第１の大きさ以上の第２の大きさの領域で受光した画像を撮影した画像とする領域制御部とを備える
ことを特徴とするデジタルカメラ。
【発明の詳細な説明】
【技術分野】
【０００１】
本発明は、動画撮影時の手ブレの影響を補正可能な撮影システムに関する。
【背景技術】
【０００２】
動画撮影時の手ブレの影響を補正する防振機能として、機械的防振機能および電子式防振機能が知られている。機械的防振機能では、撮影機器のブレを検知して、ブレの影響を打消すように撮影光学系または撮像素子を動かすことにより手ブレの影響が補正される。また、電子式防振機能では、撮像素子の有効撮像領域より小さな領域を像ブレに応じて抽出することにより手ブレの影響が補正される。
【０００３】
このような機械式防振機能は撮影機器のブレの検出のための電力、および撮影光学系または撮像素子を動かすモータに供給する電力を要するため、電子式防振機能より電力消費量が多くなる点が問題である。一方、電子式防振機能は有効撮像領域の一部を撮影した画像とするため画像の精細度が低下する点が問題である。
【０００４】
このような問題に対して、バッテリの残量が閾値以下となるときに電子式防振機能のみを実行させることが提案されている（特許文献１参照）。
【０００５】
しかし、撮影中に機械式防振機能から電子式防振機能に切替わると、画像の撮像範囲が変わるため、再生時に使用者にとって違和感を生じさせることが問題であった。
【特許文献１】特開２００１−３１１９７６号公報
【発明の開示】
【発明が解決しようとする課題】
【０００６】
したがって、本発明では、機械式防振機能から電子式防振機能に切替えた画像の前後において再生画像に違和感を生じさせない撮影システムの提供を目的とする。
【課題を解決するための手段】
【０００７】
本発明の撮影システムは、撮影光学系または撮像素子を動かすことにより像ブレを補正する機械式防振機能と撮像素子の有効撮像領域内で抽出する一定の大きさである第１の大きさの領域を像ブレに応じて変えることにより像ブレを補正する電子式防振機能を有する撮影システムであって、撮影システムを駆動するための電力を供給する電源電池の残量を検出する残量検出部と、残量が第１の閾値より大きいときに機械式防振機能を実行させ残量が第１の閾値より小さいときに電子式防振機能を実行させる防振制御部と、機械式防振機能を実行させる間残量に応じて第１の大きさ以上の第２の大きさの領域で受光した画像を撮影した画像とする領域制御部とを備えることを特徴としている。
【０００８】
さらに、撮像素子に被写体像を受光開始させる時の残量が第１の閾値より大きな第２の閾値より小さい場合に、領域制御部は第１の大きさの領域で受光した画像を撮影した画像とすることが好ましい。
【０００９】
また、機械式防振機能を実行させる間、領域制御部は残量が第１の閾値に近付くにつれて第２の大きさを第１の大きさに近づけることが好ましい。
【００１０】
また、領域制御部が第２の大きさを第１の大きさに近づけるときに、第２の大きさに応じて撮影光学系の焦点距離を長くするように撮影光学系の焦点距離を調整する光学系調整部を備えることが好ましい。
【００１１】
本発明のデジタルカメラは、撮影光学系または撮像素子を動かすことにより像ブレを補正する機械式防振機能と撮像素子の有効撮像領域内で抽出する一定の大きさである第１の大きさの領域を像ブレに応じて変えることにより像ブレを補正する電子式防振機能を有するデジタルカメラであって、撮影システムを駆動するための電力を供給する電源電池の残量を検出する残量検出部と、残量が第１の閾値より大きいときに機械式防振機能を実行させ残量が第１の閾値より小さいときに電子式防振機能を実行させる防振制御部と、機械式防振機能を実行させる間記残量に応じて第１の大きさ以上の第２の大きさの領域で受光した画像を撮影した画像とする領域制御部とを備えることを特徴としている。
【発明の効果】
【００１２】
本発明によれば、機械式防振機能から電子式防振機能に切替えられた前後の画像の詳細度を同程度に保つことが可能になる。切替わり時の精細度が同程度に保たれるため、切替わり時の画像に生じる違和感を大幅に低減化される。
【発明を実施するための最良の形態】
【００１３】
以下、本発明の実施形態について図面を参照して説明する。
図１は、本発明の一実施形態を適用した撮影システムを有するデジタルカメラの内部構成を概略的に示すブロック図である。なお、図１における上下方向をデジタルカメラの縦方向、図１に垂直な方向をデジタルカメラの横方向とする。
【００１４】
デジタルカメラ１０は、撮影光学系１１、撮像素子１２、モータ駆動回路１３、ＡＦＥ（Ａｎａｌｏｇｕｅ  Ｆｒｏｎｔ  Ｅｎｄ）１４、ＤＳＰ（Ｄｉｇｉｔａｌ  Ｓｉｇｎａｌ  Ｐｒｏｃｅｓｓｏｒ）１５、液晶モニタ１６、外部カードインターフェース１７、操作入力部１８、およびジャイロセンサ１９等によって構成される。
【００１５】
撮影光学系１１は、撮像素子１２に光学的に接続される。撮影光学系１１を透過する被写体の光学像が撮像素子１２の受光面に入射される。撮像素子１２は、例えばＣＣＤである。受光面において被写体の光学像が受光されることにより、光学像に相当する画像信号が生成される。
【００１６】
撮影光学系１１は、ズームレンズ（図示せず）やフォーカスレンズ（図示せず）などの複数のレンズによって構成される。ズームレンズやフォーカスレンズはレンズモータ（図示せず）によって光軸に沿って移動する。レンズモータは、モータ駆動回路１３によって制御される。
【００１７】
撮像素子１２は防振機構２０によって、撮影光学系の光軸に対して垂直な平面に移動自在に支持される。防振機構２０は撮影光学系１１の光軸に垂直な平面上の２方向に撮像素子１２を移動させるための防振モータ（図示せず）を有する。防振モータは、モータ駆動回路１３によって制御される。
【００１８】
ＤＳＰ１５には、ジャイロセンサ１９が接続される。ジャイロセンサ１９によって、光軸に垂直な平面上におけるデジタルカメラ１０の振れ方向および振れ量が検出される。振れのベクトルデータがＤＳＰ１５に送られる。
【００１９】
振れを打ち消すための撮像素子１２の移動方向と移動量とが、ＤＳＰ１５により算出される。算出されたデータがモータ駆動回路１３に送られる。モータ駆動回路１３は、送られたデータに基づいて防振モータを駆動し、撮像素子１２における振れが打ち消される。このような機械式防振機能は、静止画撮影時および後述する動画撮影時に実行させることが可能である。
【００２０】
撮像素子１２は、ＡＦＥ１４を介してＤＳＰ１５に接続される。ＤＳＰ１５からＡＦＥ１４にクロック信号が出力される。ＡＦＥ１４は、クロック信号に基づいて撮像素子１２を駆動するための駆動信号を生成し、撮像素子１２に送信する。撮像素子駆動信号により撮像素子１２は駆動され、画像信号を生成する。
【００２１】
生成した画像信号はＡＦＥ１４に送信される。画像信号はＡＦＥ１４において相関二重サンプリング、ゲイン調整、及びＡ／Ｄ変換が施され、画像データに変換される。画像データはＤＳＰ１５に送信される。
【００２２】
ＤＳＰ１５には、信号処理の作業用のメモリであるＤＲＡＭ（Ｄｙｎａｍｉｃ  Ｒａｎｄｏｍ  Ａｃｃｅｓｓ  Ｍｅｍｏｒｙ）２１が接続される。ＤＳＰ１５に送信された画像データは、ＤＲＡＭ２１に一時格納される。ＤＳＰ１５により、ＤＲＡＭ２１に格納された画像データに対して所定の信号処理が施される。
【００２３】
ＤＳＰ１５には、液晶モニタ１６が接続される。所定の信号処理が施された画像データは、液晶モニタ１６に送信される。送信された画像データに相当する画像が液晶モニタ１６に表示可能である。
【００２４】
また、ＤＳＰ１５には、外部カードインターフェース１７が接続される。レリーズ動作を実行するときに、所定の信号処理の施された画像データは外部カードインターフェース１７に接続されるカード型メモリ（図示せず）に格納される。
【００２５】
また、ＤＳＰ１５には、デジタルカメラ１０を操作するためのコマンド入力を行なうための操作入力部１８が接続される。操作入力部１８は、レリーズボタン（図示せず）、多機能十字キー（図示せず）などによって構成される。
【００２６】
また、ＤＳＰ１５には、残量検出回路２２を介してバッテリ２３が着脱自在に接続される。バッテリ２３から、デジタルカメラ１０全体を駆動するための電力がＤＳＰ１５を介して供給される。なお、残量検出回路２２によって、バッテリ２３の電圧が検出される。ＤＳＰ１５では、残量検出回路２２が検出したバッテリ２３の電圧からバッテリの残量が算出される。
【００２７】
デジタルカメラ１０には、静止画を撮影するための静止画撮影モード、動画を撮影するための動画撮影モード、撮影した静止画または動画を液晶モニタ１６に表示する再生モード、およびデジタルカメラ１０の動作の設定を行なうための設定モードが設けられる。
【００２８】
動画撮影モードでは、前述の機械式防振機能の他に、以下に説明する電子式防振機能を実行することが可能である。電子式防振機能を実行すると、撮像素子１２の有効画素領域全体の一部の領域で受光した光学像がＤＳＰ１５により動画像データとして抽出され、格納される。なお、動画像データとして画像が抽出される一部の領域である動画像領域は一定の大きさであり、連続する複数のフレーム間で像ブレに応じてその位置が変えられる。
【００２９】
動画撮影時には、１／３０秒毎に撮像素子１２に入射する光学像が撮像素子１２の有効撮像領域全体において撮像される。電子式防振機能を実行するとき、デジタルカメラ１０の移動ベクトルの算出のために、有効撮像領域の一部の領域における画像に対して追尾処理が行われる。すなわち、図２に示すように、追尾開始後の最初のフレームにおける有効撮像領域ＡＡの一部の特定の領域ＳＡにおいて撮像される被写体の輪郭ＥＧが、輝度抽出などの特徴抽出により検出される。
【００３０】
検出された輪郭ＥＧが次の第２のフレームにおいて撮像された画像の何処に移動したかが検出される（図３参照）。このように追尾した被写体の移動ベクトルが、デジタルカメラ１０の移動ベクトルとして検出される。
【００３１】
図４に示すように、移動ベクトルを検出すると、第１のフレームにおける動画像領域ＭＡから移動ベクトル分位置を移動させた領域が、第２のフレームにおける動画像領域ＭＡとして選択され、選択された動画像領域ＭＡにおいて受光した光学像が動画像データとして格納される。以後、連続するフレームにおいて移動ベクトルの検出および動画像領域ＭＡの選択が繰返されることにより、像ブレの除去された画像を撮像することが可能となる。
【００３２】
次に、動画像撮影モードにおける防振機能について説明する。動画像モードでは、機械式防振機能、電子式防振機能、または第１、第２の自動防振機能の実行が可能である。実行させる機能は、設定モードにおいて選択することが可能である。
【００３３】
第１、第２の自動防振機能を選択すると、バッテリ２３の残量に応じて機械式防振機能または電子式防振機能が実行される。いずれの自動防振機能においても、バッテリ２３の残量が第１の閾値より大きいときは機械式防振機能が実行され、バッテリ２３の残量が第１の閾値より小さいときには電子式防振機能が実行される。
【００３４】
また、第１、第２の自動防振機能における機械式防振機能が実行されるとき、動画像データとして格納する画像領域がバッテリ２３の残量に応じて以下に説明するように変えられる。
【００３５】
第１の自動防振機能では、動画撮影モードに切替えた直後のバッテリ残量により領域の大きさが変えられる。動画撮影モードに切替えた直後のバッテリ２３の残量が第２の閾値（＞第１の閾値）より大きいときは、有効撮像領域ＡＡ全体で被写体像が受光される。一方、動画像撮影モードに切替えた直後のバッテリ２３の残量が第１の閾値より大きく第２の閾値より小さいときは、電子式防振機能実行時の動画像領域ＭＡと同じ大きさで位置が固定された領域において被写体像が取込まれる。
【００３６】
第２の自動防振機能では、動画撮影モード中に連続的に検出されるバッテリ２３の残量に応じて領域の大きさが変えられる。動画撮影モードにおいてバッテリ２３の残量が第３の閾値（＞第１の閾値）より大きいときは、有効撮像領域ＡＡ全体で被写体像が取込まれる。一方、動画撮影モードにおいてバッテリ２３の残量が第１の閾値より大きく第３の閾値より小さいときは、バッテリ２３の残量が第１の閾値に近付くにつれて、有効撮像領域ＡＡから動画像領域ＭＡと同じ大きさに近付く領域であって位置が固定された領域において被写体像が取込まれる。
【００３７】
次に、ＤＳＰ１５によって実行される第１、第２の自動防振機能を実行させるための処理を、それぞれ図５〜図７のフローチャートを用いて説明する。図５は第１の自動防振機能を実行させるための処理を説明するフローチャートである。図６は第２の自動防振機能を実行させるための処理を説明する第１のフローチャートである。図７は第２の自動防振機能を実行させるための処理を説明する第２のフローチャートである。
【００３８】
第１の自動防振機能を実行させるための処理は、第１の自動防振機能をＯＮにした状態で動画撮影モードを起動するときに開始される。なお、動画撮影モードを起動すると撮影開始の入力があるまで待機状態となる。
【００３９】
ステップＳ１００において、残量検出回路２２にバッテリ２３の電圧を検出させる。また、検出したバッテリ２３の電圧Ｖｂが第２の閾値Ｖｔｈ２を超えているか否かを判別する。第２の閾値Ｖｔｈ２を超えているときはステップＳ１０１に進む。第２の閾値Ｖｔｈ２を超えていないときはステップＳ１０２に進む。
【００４０】
ステップＳ１０１では、動画像として撮像する領域の広さを有効撮像領域ＡＡの広さに設定する。ステップＳ１０２では、動画像として撮像する領域の広さを動画像領域ＭＡの広さに設定する。ステップＳ１０１またはステップＳ１０２の終了後、ステップＳ１０３に進む。
【００４１】
ステップＳ１０３では、操作入力部１８に撮影開始の入力操作があるか否かを判別する。撮影開始の入力操作を検出しないときはステップＳ１００に戻り、入力操作を検出するまでステップＳ１００〜ステップＳ１０３の処理を繰返す。撮影開始の入力操作を検出するときはステップＳ１０４に進む。
【００４２】
ステップＳ１０４では、再び残量検出回路２２にバッテリ２３の電圧を検出させる。また、検出したバッテリ２３の電圧Ｖｂが第１の閾値Ｖｔｈ１を超えているか否かを判別する。第１の閾値Ｖｔｈ１を超えているときはステップＳ１０５に進む。第１の閾値Ｖｔｈ１を超えていないときはステップＳ１０６に進む。
【００４３】
ステップＳ１０５では、機械式防振機能を実行させる。一方、ステップＳ１０６では、電子式防振機能を実行させる。ステップＳ１０５またはステップＳ１０６の処理の終了後、ステップＳ１０７に進む。
【００４４】
ステップＳ１０７では、操作入力部１８に撮影停止の入力操作があるか否かを判別する。撮影停止の入力操作を検出しないときは、ステップＳ１０８に進む。撮影停止の入力操作を検出するときはステップＳ１０９に進む。
【００４５】
ステップＳ１０８では、電子式防振機能を実行しているか否かを判別する。電子式防振機能を実行しているときはステップＳ１０７に戻り、以後ステップＳ１０７で撮影停止の入力操作を検出するまでステップＳ１０７およびステップＳ１０８の処理を繰返す。電子式防振機能を実行していないとき、すなわち機械式防振機能を実行しているときは、ステップＳ１０４に戻り、ステップＳ１０４〜ステップＳ１０８の処理を繰返す。
【００４６】
ステップＳ１０９では、撮像した動画像の画像データをカード型メモリに格納する。画像データの格納後、デジタルカメラ１０は動画像の撮影待機状態となる。次のステップＳ１１０では、動画撮影モードにおいて他の動作モードへの切替入力があるか否かを検出する。切替入力が無いときはステップＳ１００に戻り、ステップＳ１００〜ステップＳ１１０の処理を繰返す。切替入力があるときに、第１の自動防振機能の処理が終了する。
【００４７】
第２の自動防振機能を実行させるための処理は、第２の自動防振機能をＯＮにした状態で動画撮影モードを起動するときに開始される。なお、動画撮影モードを起動すると撮影開始の入力があるまで待機状態となる。
【００４８】
ステップＳ２００において、残量検出回路２２にバッテリ２３の電圧を検出させる。また、検出したバッテリ２３の電圧Ｖｂが第３の閾値Ｖｔｈ３を超えているか否かを判別する。第３の閾値Ｖｔｈ３を超えているときはステップＳ２０１に進む。第３の閾値Ｖｔｈ３を超えていないときはステップＳ２０２に進む。
【００４９】
ステップＳ２０１では、動画像として記録する領域の広さを有効撮像領域ＡＡの広さに設定する。ステップＳ２０２では、動画像として撮像する領域の広さを、検出したバッテリ２３の電圧Ｖｂに応じて定められた広さに設定する。例えば、電圧Ｖｂが高くなるほど広く、Ｖｂが低くなるほど狭くなるように、Ｖｂに対応する撮像する領域の広さが定められる。ステップＳ２０１またはステップＳ２０２の終了後、ステップＳ２０３に進む。
【００５０】
ステップＳ２０３では、操作入力部１８に撮影開始の入力操作があるか否かを判別する。撮影開始の入力操作を検出しないときはステップＳ２００に戻り、入力操作を検出するまでステップＳ２００〜ステップＳ２０３の処理を繰返す。撮影開始の入力操作を検出するときはステップＳ２０４に進む。
【００５１】
ステップＳ２０４では、再び残量検出回路２２にバッテリ２３の電圧を検出させる。また、検出したバッテリ２３の電圧Ｖｂが第１の閾値Ｖｔｈ１を超えているか否かを判別する。第１の閾値Ｖｔｈ１を超えているときはステップＳ２０５に進む。第１の閾値Ｖｔｈ１を超えていないときはステップＳ２０６に進む。
【００５２】
ステップＳ２０５では、機械式防振機能を実行させる。一方、ステップＳ２０６では、電子式防振機能を実行させる。ステップＳ２０５またはステップＳ２０６の処理の終了後、ステップＳ２０７に進む。
【００５３】
ステップＳ２０７では、ステップＳ２０４で検出したバッテリ２３の電圧が第３の閾値Ｖｔｈ３を超えているか否かが判別される。第３の閾値Ｖｔｈ３を超えているときはステップＳ２０８およびステップＳ２０９をスキップしてステップＳ２１０に進む。第３の閾値Ｖｔｈ３を越えていないときはステップＳ２０８に進む。
【００５４】
ステップＳ２０８では、動画像として記録する領域の広さをバッテリ２３の電圧Ｖｂに応じて定められた広さに設定する。次のステップＳ２０９では、ステップＳ２０８で設定した広さに応じて撮影光学系１１の焦点距離が調整される。ステップＳ２０８において動画像の撮像領域の広さが変わると、撮影される被写体の範囲が変わる。そこで、撮像領域の広さの変更の前後で撮影される被写体の範囲が変わらないように、ズームレンズの位置を変えることにより焦点距離が調整される。焦点距離の調整後ステップＳ２１０に進む。
【００５５】
ステップＳ２１０では、操作入力部１８に撮影停止の入力操作があるか否かを判別する。撮影停止の入力操作を検出しないときは、ステップＳ２１１に進む。撮影停止の入力操作を検出するときはステップＳ２１２に進む。
【００５６】
ステップＳ２１１では、電子式防振機能を実行しているか否かを判別する。電子式防振機能を実行しているときはステップＳ２１０に戻り、以後ステップＳ２１０で撮影停止の入力操作を検出するまでステップＳ２１０およびステップＳ２１１の処理を繰返す。電子式防振機能を実行していないとき、すなわち機械式防振機能を実行しているときは、ステップＳ２０４に戻り、ステップＳ２０４〜ステップＳ２１１の処理を繰返す。
【００５７】
ステップＳ２１２では、撮像した動画像の画像データをカード型メモリに格納する。画像データの格納後、デジタルカメラ１０は動画像の撮影待機状態となる。次のステップＳ２１３では、動画撮影モードにおいて他の動作モードへの切替入力があるか否かを検出する。切替入力が無いときはステップＳ２００に戻り、ステップＳ２００〜ステップＳ２１３の処理を繰返す。切替入力があるときに、第２の自動防振機能の実行の処理が終了する。
【００５８】
以上のような構成である本実施形態の撮影システムによれば、機械式防振機能から電子式防振機能への切替前後における画像に対する違和感を低減化させることが可能である。
【００５９】
第１の自動防振機能によれば、動画撮影モードの起動時にバッテリ２３の残量が少ないときに機械式防振機能および電子式防振機能のいずれの防振機能を実行中であっても動画像として撮像される領域が同じとなる。それゆえ、両防振機能による画像の精細度が同じとなり、機械式防振機能から電子式防振機能に切り替わったときに画像に違和感を生じることがない。
【００６０】
また、第２の自動防振機能によれば、機械式防振機能を実行中にバッテリ２３の残量が少なくなるにつれて、動画像として撮像される領域が有効撮像領域ＡＡの大きさからから動画像領域ＭＡの大きさになるように徐々に変えられる。それゆえ、機械式防振機能を実行中の動画像の画角が徐々に電子式防振機能を実行中の動画像の画角に近付き、切替わり時には同じ画角となる。したがって、画角が急激に変化することが無いため、防振機能の切替わり時の画像に対する違和感が低減化される。
【００６１】
また、第２の自動防振機能において、動画像として撮像される領域を徐々に小さくすると、撮影される被写体の範囲は徐々に拡大されることになる。そこで、本実施形態では、焦点距離を調整してズームアウトすることにより、撮影される被写体の範囲が変わらないように調整される。
【００６２】
なお、本実施形態において、デジタルカメラ１０には第１、第２の自動防振機能が設けられるが、いずれか一方のみが設けられてもよい。
【００６３】
また、本実施形態において、撮像素子１２を光軸に対して垂直に移動させることにより像ブレが補正される構成であるが、補正レンズを光軸に対して垂直に移動させることにより像ブレを補正してもよい。
【図面の簡単な説明】
【００６４】
【図１】本発明の一実施形態を適用した撮影システムを有するデジタルカメラの内部構成を概略的に示すブロック図である。
【図２】追尾処理を行うために有効撮像領域内における特定の領域の位置を示す図である。
【図３】追尾処理の説明のための図である。
【図４】電子式防振機能を説明するための図である。
【図５】第１の自動防振機能を実行させるためにＤＳＰが行う処理を説明するためのフローチャートである。
【図６】第２の自動防振機能を実行させるためにＤＳＰが行う処理を説明するための第１のフローチャートである。
【図７】第２の自動防振機能を実行させるためにＤＳＰが行う処理を説明するための第２のフローチャートである。
【符号の説明】
【００６５】
１０  デジタルカメラ
１２  撮像素子
１３  モータ駆動回路
１５  ＤＳＰ（Ｄｉｇｉｔａｌ  Ｓｉｇｎａｌ  Ｐｒｏｃｅｓｓｏｒ）
１９  ジャイロセンサ
２０  防振機構
２２  残量検出回路
２３  バッテリ
ＡＡ  有効撮像領域
ＭＡ  動画像領域
ＳＡ  特定の領域
【図１】
2009053226.tif 000003
【図２】
2009053226.tif 000004
【図３】
2009053226.tif 000005
【図４】
2009053226.tif 000006
【図５】
2009053226.tif 000007
【図６】
2009053226.tif 000008
【図７】
2009053226.tif 000009